(57)【要約】【課題】  ファインダーを覗いた状態で、動きのある被写体の決定的瞬間をとらえるユースケースにおいて、ユーザーがストレスなく、シャッターチャンスを逃さず、撮影を行うことが出来る手法を提案すること。【解決手段】  ファインダー部と、撮影動作を指示するシャッター釦と、レンズを装着するマウント部と、高速連写を指示する操作部材と、前記操作部材が押されているか否か判定する判定手段と、前記判定手段の結果、前記操作部材が押されていると判断された場合、現在のコマ速よりも高速のコマ速で連写を行い、押されていないと判断された場合、現在のコマ速を維持するように制御する制御手段とを備え、前記操作部材は、前記マウント部に対して背面で、前記シャッターボタンの高さと同じか或いは最も近接した位置で、前記光学ファインダー部よりグリップ側に配置され、プッシュ式の操作部材であることを特徴とする構成とした。【選択図】  図４
2012147355.tif 000002
【特許請求の範囲】
【請求項１】
ファインダー部（１６）と、
撮影動作を指示するシャッター釦（２０１）と、
レンズを装着するマウント部（１０）と、
高速連写を指示する操作部材（２０６）と、
前記操作部材が押されているか否か判定する判定手段（４０）と、
前記判定手段の結果、前記操作部材が押されていると判断された場合、現在のコマ速よりも高速のコマ速で連写を行い、押されていないと判断された場合、現在のコマ速を維持するように制御する制御手段（４０）とを備え、
前記操作部材は、前記マウント部に対して背面で、前記シャッターボタンの高さと同じか或いは最も近接した位置で、前記光学ファインダー部よりグリップ側に配置され、プッシュ式の操作部材であることを特徴とする撮像装置。
【請求項２】
前記操作部材（２０６）は、手持ち状態において、親指をひっかける為に、隆起している個所（２０９）から最も近接した個所に配置されていることを特徴とする請求項１に記載の撮像装置。
【請求項３】
前記操作部材（２０６）は、ホールディング状態において、親指を退避させておく位置に貼られた緩衝部材（２０３）から最も近接した位置に配置されていることを特徴とする請求項１に記載の撮像装置。
【請求項４】
前記撮像装置の姿勢が縦位置だった場合に、前記操作部材（２０６）と同様に、高速連写を指示する、縦位置用の高速連写指示部材（２１０）が配置されていることを特徴とする請求項１に記載の撮像装置。
【発明の詳細な説明】
【技術分野】
【０００１】
本発明は、電子スチルカメラ等の撮像装置に関し、特に連写機能を供えた撮像装置の制御方法に関するものである。
【背景技術】
【０００２】
従来から、撮像装置には、動きのある被写体の決定的瞬間をとらえる為に、連写機能が備わっている。その設定方法は、連写以外の単写やセルフタイマー撮影といった、通常ドライブモードと呼ばれる設定値群の中から選択して設定する方法が一般的である。しかし、補足している被写体のある一瞬だけ高速で連写を行いたい場合、ドライブモードの設定状態に入っていては、シャッターチャンスを逃してしまうという問題点がある。特定の操作部材を押している間だけ、登録してある設定値を呼び出し、撮影を行う手法が開示されている。公知例は、単写モードから連写モードに、目視による識別を行うことなく、切り替えることを特徴としている。
【先行技術文献】
【特許文献】
【０００３】
【特許文献１】特開２００７−４１１１９号公報
【特許文献２】特開２００５−１０２１０６号公報
【発明の概要】
【発明が解決しようとする課題】
【０００４】
この問題を解決する為に、特定の操作部材を押している間だけ、登録してある設定値を呼び出し、撮影を行う手法が開示されている（特許文献１）。
【０００５】
また、特許文献２では、単写モードから連写モードに、目視による識別を行うことなく、切り替えることを特徴としている。しかし、これらの公知例では、操作部材を操作する際に、カメラを握っている手の力が緩んでしまい、ユーザーにストレスを与えてしまう問題点がある。そこで、本発明の目的は、ユーザーがストレスなく、シャッターチャンスを逃さず、撮影を行うことが出来る手法を提案することである。
【課題を解決するための手段】
【０００６】
上記目的を達成するために、本発明は、ファインダー部と、撮影動作を指示するシャッター釦と、レンズを装着するマウント部と、高速連写を指示する操作部材と、前記操作部材が押されているか否か判定する判定手段と、前記判定手段の結果、前記操作部材が押されていると判断された場合、現在のコマ速よりも高速のコマ速で連写を行い、押されていないと判断された場合、現在のコマ速を維持するように制御する制御手段とを備え、前記操作部材は、前記マウント部に対して背面で、前記シャッターボタンの高さと同じか或いは最も近接した位置で、前記光学ファインダー部よりグリップ側に配置され、プッシュ式の操作部材、とを有することを特徴とする。
【発明の効果】
【０００７】
本発明によれば、ユーザーがストレスを感じることなく、所定の設定値に変更し、シャッターチャンスを逃さず撮影させることが可能になる。
【図面の簡単な説明】
【０００８】
【図１】本発明に係る実施形態として適用した電子撮像装置の概略ブロック図である。
【図２】本発明に係る実施形態として適用した電子撮像装置の正面外観図である。
【図３】本発明に係る実施形態として適用した電子撮像装置の背面外観図である。
【図４】撮像装置の縦横それぞれの姿勢における撮影状態において、高速連写の指示があった場合と無かった場合の動作を示したフローチャートである。
【発明を実施するための形態】
【０００９】
以下に、本発明の好ましい実施の形態を、添付の図面に基づいて詳細に説明する。図１、本発明の実施形態にかかわるカメラの構成を示した図であり、図２、図３は、本発明の実施形態にかかわるカメラの外観形状を示した図である。
【００１０】
１００は、交換可能な撮影レンズを搭載するレンズユニットであり、２００は、撮像装置全体を表している。
【００１１】
レンズ５は通常、複数枚のレンズから構成されるが、ここでは簡略して一枚のレンズのみで示している。６は、レンズがカメラ側と通信を行う為の通信端子であり、１０は、カメラがレンズ側と通信を行う為の通信端子である。レンズユニット１００は、この通信端子６，１０を介してマイクロコンピュータ４０と通信し、内部のレンズシステム制御回路４によって絞り駆動回路２を介して絞り１の制御を行い、AF駆動回路３を介して、レンズ５の位置を変位させることで焦点を合わせる。
【００１２】
１５は、AEセンサーで、レンズユニット１００を通した被写体の輝度を測光する。
【００１３】
１１は、AFセンサーで、マイクロコンピュータ４０に、デフォーカス量情報を出力し、それに基づいてレンズユニット１００を制御する。
【００１４】
１２はクイックリターンミラーで、露光の際にマイクロコンピュータ４０から指示されて、不図示のアクチュエータによりアップダウンされる。
【００１５】
１３は、フォーカシングスクリーンで、撮影者は、ペンタプリズム１４とファインダー１６を介して、フォーカシングスクリーンを観察することで、レンズユニット１００を通して得た被写体の光学像の焦点や構図の確認が可能となる。
【００１６】
１７は、フォーカルプレーンシャッターで、マイクロコンピュータ４０の制御で撮像素子２０の露光時間を自由に制御できる。
【００１７】
１８は、光学フィルターで、一般的にローパスフィルターなどから構成され、フォーカルプレーンシャッター１７より入ってくる光の高周波成分をカットして、撮像素子２０に被写体像を導光する。
【００１８】
撮像素子２０としては、一般的にＣＣＤやＣＭＯＳ等の撮像素子が用いられ、レンズユニット１００を通して撮像素子２０上に結像された被写体象を光電変換して電気信号として取り込む。
【００１９】
２１は、AMP回路であり、取り込まれた電気信号に対して、設定されている撮影感度に応じたゲインで撮影信号を増幅する。
【００２０】
２２は、A/D変換回路で、撮像素子２０によって電気信号に変換されたアナログ信号をデジタル信号に変換する。
【００２１】
２３は、画像処理回路で、A/D変換回路２２によってデジタル信号に変換された画像データに対して、フィルター処理、色変換処理、ガンマー／ニー処理を行い、メモリーコントローラ２７に出力する。また、この画像処理回路は、D/A変換回路も内蔵しており、A/D変換回路２２によってデジタル信号に変換された画像データやメモリーコントローラ２７により入力される画像データをアナログ信号に変換して液晶駆動回路２４を介して液晶表示部２５に出力することも可能である。これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。
【００２２】
メモリーコントローラ２７は、画像処理回路２３から入力された未処理の画像データをバッファメモリー２６に格納したり、或いは画像処理済みの画像データをメモリー２８に格納したり、逆にバッファメモリー２６やメモリー２８から画像データを取り込んで画像処理回路２３に出力したりもする。また、メモリーコントローラ２７は、USB（Universal Serial Bus）、IEEE（Institute of Electrical and Electronics Engineers）やHDMI（High-Definition Multimedia Interface）などの外部インタフェース２９を介して送られてくる画像データをメモリー２８に格納したり、逆にメモリー２８に格納されている画像データを外部インタフェース２９を介して外部に出力することも可能である。また、メモリー２８は、着脱可能な様態でもよく、図１では、着脱可能な場合のメモリーとして図示している。具体的には、コンパクトフラッシュ（登録商標）を用いることができる。
【００２３】
３２は、タイミング制御回路であり、この回路を介してマイクロコンピュータ４０は、撮像素子２０の駆動タイミングを制御する。
【００２４】
３５は、電源制御回路であり、電力はAC電源部３０、もしくは２次電池部３１より供給され、マイクロコンピュータから指示を受けるで電源のオンオフを行い、また電源状態検知回路３４により検知された現在の電源状態の情報や電源種類検知回路３３により検知された現在の電源の種類の情報をマイクロコンピュータ４０に通知することも行う。
【００２５】
３６は、シャッター制御回路であり、この回路を介してマイクロコンピュータ４０はフォーカルプレーンシャッター１７を制御する。
【００２６】
３７は、光学フィルター振動制御回路であり、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。
【００２７】
３８は、不揮発性メモリ（ＥＥＰＲＯＭ）で、ユーザーが任意に設定したシャッター速度、絞り値、撮影感度などの設定値やデータをカメラに電源が入れられていない状態でも、保存することができる。
【００２８】
３９は、撮像装置の姿勢検知回路であり、現在の撮像装置の姿勢状態の情報をマイクロコンピュータ４０に通知する。
【００２９】
図２は、撮像装置全体２００の外観形状背面を示した図であり、図３は、同じく撮像装置全体２００の外観形状前面を示した図である。図１と共通する部分は、同じ記号で示している。
【００３０】
２０１は、レリーズ釦である。釦を半押しすることで、被写体の輝度の測定や合焦を行う。また、釦を全押しすることでシャッターが切られ画像の撮影が行われる。
【００３１】
２０２は、カメラのモードの設定を行う為のモードダイヤルである。ユーザーは、このモードダイヤルを回すことで、スポーツモード、風景モードなどのモードの設定を行う。
【００３２】
２０３は、グリップ部をホールドした時に、親指が置かれる場所に貼られた緩衝部材である。ホールディングした状態で、ここの親指を置くことで、指に負担がかからなくなる。
【００３３】
２０４は、電源スイッチである。電源スイッチを回すことで電源のON及びOFFを行う。
【００３４】
２０５は、各種設定を行う為のスイッチ群である。これらのスイッチ群には、カメラ内外の記録媒体に保存されている画像を液晶表示部２５に表示させる再生指示釦や、各種設定画面を液晶表示部２５に表示させる為の設定画面表示指示釦などがある。ユーザーはこれらのスイッチを押下することにより、各種設定を行う為の画面を表示させたり、撮影画像の確認を行うことなどが可能となる。
【００３５】
２０６は、被写体の輝度の測定や合焦を行うよう指示するか又は、高速連写を指示するためのボタンである。前記設定を行うスイッチ群を操作し、設定を行うことで、どちらの機能を有効にするかが決定される。ユーザーは、この釦を押下することで、被写体の輝度の測定や合焦を行ったり、連写中において釦を押下している間だけ、高速連写で撮影することが出来るようになる。
【００３６】
２０７は、測定した被写体の輝度をロックするように指示するか又は、高速連写を指示するためのボタンである。前記設定を行うスイッチ群を操作し、設定を行うことで、どちらの機能を有効にするかが決定される。ユーザーは、この釦を押下することで、被写体の輝度をロックしたり、連写中において釦を押下している間だけ、高速連写で撮影することが出来るようになる。
【００３７】
２０８は、測距点選択釦である。ユーザーは、この釦を押下することで、見ている被写体のどのポイントで測距を行うかを決定することが出来る。
【００３８】
２０９は、グリップ部をホールドした時に、親指をひっかける為の隆起である。この隆起に親指をひっかけるようにホールドすることで、カメラを手持ちした時に、持ち易く、また撮影時には、この付近の釦を押下し易くなる。
【００３９】
２１０は、カメラを縦位置の姿勢にした時に作動する、釦２０６と同等の機能を有する釦である。ユーザーは、カメラを縦位置の姿勢にして、この釦を押下することで、被写体の輝度の測定や合焦を行ったり、連写中において釦を押下している間だけ、高速連写で撮影することが出来るようになる。
【００４０】
２１１は、カメラを縦位置の姿勢にした時に作動する、釦２０７と同等の機能を有する釦である。ユーザーは、カメラを縦位置の姿勢にして、この釦を押下することで、被写体の輝度をロックしたり、連写中において釦を押下している間だけ、高速連写で撮影することが出来るようになる。
【００４１】
２１２は、カメラを縦位置の姿勢にした時に作動する、釦２０８と同等の機能を有する釦である。ユーザーは、カメラを縦位置の姿勢にして、この釦を押下することで、見ている被写体のどのポイントで測距を行うかを決定することが出来る。
【００４２】
［実施例１］
以下、図４を参照して、本発明の第1の実施例による、撮影中に高速連写を指示された時の動作について説明する。
【００４３】
まずステップＳ１０で、レリーズボタン２０１が押下されているかどうかの判定を行い、押下されているならステップＳ１１に進み、押下されていないなら、そのまま終了する。
【００４４】
ステップＳ１１では、マイクロコンピュータ４０から指示し、クイックリターンミラー１２をアップさせる。
【００４５】
ステップＳ１２では、設定されている絞り値をマイクロコンピュータ４０より通信端子６，１０を介して、レンズシステム制御回路４へ送信し、絞り駆動回路２を介して絞り１を絞り込ませる。
【００４６】
ステップＳ１３では、設定されているシャッタースピードに従って、マイクロコンピュータ４０の制御で、フォーカルプレーンシャッター１７を制御し、撮像素子２０の露光時間を制御する。
【００４７】
ステップＳ１４では、露光後、まだレリーズボタン２０１が押下されているかどうかの判定を行い、押下されているならステップＳ１５に進み、押下されていないなら、ステップＳ２０に進む。
【００４８】
ステップＳ１５では、連写設定がなされているか否かの判定を行い、連写設定がなされていたらステップＳ１６に進み、なされていなかったらステップＳ２０に進む。
【００４９】
ステップＳ１６では、姿勢検知回路３９により通知される撮像装置の姿勢情報を元に、撮像装置が現在、横位置の状態であるとマイクロコンピュータ４０が判断した場合は、ステップＳ１７に進み、縦位置の状態であると判断した場合は、ステップＳ１８に進む。
【００５０】
ステップＳ１７では、高速連写指示釦２０６が押下されているかどうかの判定を行い、押下されている場合は、ステップＳ１３に進み、押下されていない場合は、ステップＳ１９に進む。
【００５１】
ステップＳ１８では、縦位置用の高速連写指示釦２１０が押下されているかどうかの判定を行い、押下されている場合は、ステップＳ１３に進み、押下されていない場合は、ステップＳ１９に進む。
【００５２】
ステップＳ１９では、マイクロコンピュータ４０から指示し、クイックリターンミラー１２をダウンさせる。
【００５３】
ステップＳ２０では、バッファメモリー２６に取り込まれた画像データをメモリコントローラ２７を介して、アナログ信号に変換して液晶駆動回路２４を介して、液晶表示部２５に出力する。
【００５４】
以上のように制御を行うことで、ある一瞬だけ、高速連写で撮影を行いたいシーンにおいて、撮影を行うことが可能となる。また、高速連写を指示する部材（２０６）が、図２で示す通り、ホールドした状態において、親指を自然に移動可能な位置に配置されていることで、被写体から一瞬でも目を離すことの出来ない状況においても、ユーザーは、ストレスなく撮影を行うことが可能となる。
【００５５】
また、カメラの姿勢が縦位置状態であった場合でも、同様に高速連写を指示する部材（２１０）が、親指を自然に移動可能な位置に配置されている為、カメラの姿勢に因らず、ユーザは、ストレスなく撮影を行うことが可能となる。
【００５６】
以上、本発明の好ましい実施形態について説明したが、本発明はこれらの実施形態に限定されず、その要旨の範囲内で種々の変形及び変更が可能である。
【００５７】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５８】
１００  レンズユニット
２００  撮像装置全体
【図１】
2012147355.tif 000003
【図２】
2012147355.tif 000004
【図３】
2012147355.tif 000005
【図４】
2012147355.tif 000006